(57)【特許請求の範囲】
【請求項１】
光ディスクの記録部に、記録情報の順序と同一方向に誤り符号が付加された符号列データと、前記符号列データが前記光ディスクに記録されるための記録ガイドとして該符号列データが記録される前に消去不可能な状態で予め記録されている記録ガイド情報とが記録された光ディスクから記録情報を再生する光ディスク再生装置の誤り訂正装置であって、
前記記録ガイド情報における物理構造上の特異点を第１位置として検出する第１位置検出部と、
前記第１位置検出部により検出された前記第１位置を前記符号列データの位置に置き換えた第２位置を生成する第２位置生成部と、
前記第２位置を用いて前記符号列データの誤りをイレージャ訂正し、その後に、前記誤り符号データとは異なる方向のデータの誤り訂正を行う誤り訂正部と、
を備えることを特徴とする光ディスク装置の誤り訂正装置。
【請求項２】
前記第１位置は、前記光ディスクの前記記録部に対して人為的に形成した前記物理構造上の特異点であり、前記光ディスクから前記記録情報を再生したときに前記物理構造上の特異点の位置を前記第１位置として検出し、前記物理構造上の特異点と前記符号列データとの相対的な位置関係によって前記第２位置を生成することを特徴とする請求項１に記載の光ディスク装置の誤り訂正装置。
【請求項３】
前記光ディスクの前記記録部に対して人為的に形成した前記物理構造上の特異点と前記光ディスクを再生して得られた前記符号列データとの位置関係を検出し、この検出結果に基づいて前記第２位置を決定することを特徴とする請求項１に記載の光ディスク装置の誤り訂正装置。
【請求項４】
前記第２位置は、前記第１位置が前記符号列データとこれに隣接する符号列データとの間に位置する場合に、前記第１位置を前記符号列データの位置に置き換えた前後の符号列データをも含めた位置とする前記第２位置情報生成部を備えることを特徴とする請求項１に記載の光ディスク装置の誤り訂正装置。
【請求項５】
前記光ディスクはＤＶＤ−ＲおよびＤＶＤ−ＲＷを含む記録可能なデジタル多用途ディスクであり、前記第１位置は前記デジタル多用途ディスクに記録ガイド用情報として予め記録されたプリピットであることを特徴とする請求項１ないし請求項４の何れかに記載の光ディスク装置の誤り訂正装置。
【発明の詳細な説明】
【技術分野】
【０００１】
本発明は、光ディスク装置の誤り訂正装置に関し、特に、情報記録可能な光ディスクに記録されたデータを再生する際に、記録ガイド情報としての光ディスクの物理上の特異点が存在する位置に対応して訂正ブロック上に生じるエラーを物理上の特異点の位置に基づいて訂正する光ディスク装置の誤り訂正装置に関する。
【背景技術】
【０００２】
デジタルバーサタイルディスク（以下、ＤＶＤ―Digital Versatile Disc―とする）において、記録可能なＤＶＤとしてＤＶＤ−ＲＡＭ［Random Access Memory］、ＤＶＤ−Ｒ［read］／ＲＷ［read & write］および＋Ｒ／ＲＷ等がある。このような記録可能なＤＶＤにおける情報記録の具体例を特許文献１の図面を用いて説明する。この記録可能なＤＶＤには、特許文献１における図１４（ａ）に示されているように、光ディスク装置のピックアップをガイドするためのグルーブと呼ばれる案内溝（記録ガイド）が予めフォーマット（pre-format）されている。このグルーブは、同図に誇張して示されているように、ウォブル［wobble―ぐらつく・揺らぐ―］と呼ばれるように、半径方向にわずかに蛇行している。このようにグルーブが蛇行するようなトラック構造は、ウォブルド・ランド・グルーブ［wobbled land groove］と呼ばれている。また、特許文献１における図１４（ｂ）（ｃ）に示すように、ＤＶＤ−Ｒ／ＲＷには、グルーブ１０２間の突出した部分であるランド１０１に、予めプリピット１０４が刻まれている。
【０００３】
従来の光ディスク装置は、図２０に示すような構成となっている。光ディスク１に記録された情報をピックアップ２により読み出した後、マトリクスアンプ３は、ピックアップ２内の光ディテクタ１からの信号を演算して、ＲＦ信号およびウォブル信号およびプリピット信号を出力する。ＲＦ信号は、復調回路４に供給され、ウォブル信号はウォブルＰＬＬ回路１２に供給され、プリピット信号は、プリピットデコーダ１３に供給されている。これらのウォブル信号およびプリピット信号は、特許文献１の図１５（ａ）に示すものであり、特許文献１の図１５（ａ）におけるシンクフレーム１は、偶数ポジションのシンクフレーム（イーブン―Even―シンクフレーム／１４８８Ｔ）であり、同図におけるシンクフレーム２は、奇数ポジションのシンクフレーム（オッド―Odd―シンクフレーム／１４８８Ｔ）である。特許文献１の図１５（ｂ）に示すようなプリピット信号は、図２０に示すプリピットデコーダ１３に入力される。
【０００４】
マトリクスアンプ３が出力するＲＦ信号は、再生時においては、復調回路４、エラー訂正回路５、訂正ＲＡＭ６、データバッファ回路７を介してホストコンピュータ８に出力される。記録時においては、記録データがホストコンピュータ８からデータバッファ回路７へ出力され、パリティ生成回路９を介して変調回路１０に入力される。
【０００５】
なお、ウォブルＰＬＬ回路１２は、マトリクスアンプ３が出力するウォブル信号に基づいてウォブルクロックを出力している。また、プリピットデコーダ１３は、ウォブルＰＬＬ回路１２が出力するウォブルクロックとマトリクスアンプ３が出力するプリピット信号に基づいて光ディスク１上のアドレス情報などが記録された記録ガイド情報（プリフォーマット情報）を検出し、記録タイミングを生成して変調回路１０へ出力している。
【０００６】
変調回路１０は、パリティが付加された記録データを変調して変調信号を生成する。プリピットデコーダ１３が生成する記録タイミングに基づいて、生成した変調信号のシンクとプリピットの位相が合うように、変調信号をレーザ制御回路１１に出力する。レーザ制御回路１１は、ピックアップ２の記録レーザを駆動して光ディスク１に記録データを書き込んでいる。ここで、積符号とは、内符号のパリティ（ＰＩ―Parity of the Inner code―）符号と外符号のパリティ（ＰＯ―Parity of the Outer code―）符号を要素としている。
【０００７】
ＤＶＤに採用されている積符号において「内符号：ＰＩ（外符号：ＰＯ）の誤り位置情報を基に外符号：ＰＯ（内符号：ＰＩ）でイレージャ訂正を行なうことが可能である」という特徴を、バーストエラー（ディスクから連続して再生されるデータ列と同一方向に発生する連続したエラー）に対して活用するため、ＰＩ符号に対する誤り訂正処理（以下、訂正処理という）を先に行ない、次に、ＰＯ符号に対する訂正処理を行なうのが一般的である。この特徴を活用して、特許文献２においては、バースト誤り位置情報に重みを持たせることにより、特許文献２以前の技術では訂正不能となっていた誤りパターン（バーストエラー）を訂正可能にしている。
【０００８】
再生パフォーマンスを優先するシステムにおいては、ＰＯの１回訂正を基本として訂正処理を行なう場合が多いが、再生データに多くのエラーが含まれてＰＯの１回訂正ではエラーを訂正しきれない場合には、ＰＩ−ＰＯの２回訂正やＰＯ−ＰＩ−ＰＯの３回訂正のようにエラーを訂正しつくすまでＰＩまたはＰＯの訂正回数を増やすような誤り訂正処理も考えられている。
【０００９】
ＤＶＤ−Ｒ／ＲＷは、物理フォーマットとしてディスク平面に形成された凹部としてのグルーブに情報を記録しているため、上述したように、グルーブ間のランドに予めアドレス等の情報が設定されたランドプリピットと呼ばれるピットが形成されている。グルーブに記録されている情報をビームスポットによる走査により読み取る場合、プリピットからの反射光の光量に比較してグルーブからの反射光の光量が小さいと、グルーブからの反射光に対してプリピットからの反射光の成分が雑音として作用してグルーブの情報を高精度に検出することが困難となる可能性がある。この問題を回避するために、特許文献３が提案されており、この特許文献３においては、再生信号に影響が出ないように記録再生媒体のグルーブに対するプリピットの影響が最小となるような形状を用いている。
【００１０】
以上の従来例に示すように、一般的にＤＶＤ−Ｒ／ＲＷメディアのようなプリピット情報が存在するディスクから再生した再生信号は乱れ易く、スタンプされたＤＶＤ−ＲＯＭ等のディスクと比較してデータ再生の品位が悪いためＰＩ−ＰＯの２回訂正を基本として行なうことが多くなっている。ＰＩおよびＰＯの複数回の訂正を行なうことは、その処理時間を確保するために再生速度を遅くすることになり、再生パフォーマンスが低下するという問題があった。
【００１１】
また、再生速度を維持したままでＰＩ−ＰＯの複数回の訂正を行なってエラーを完全に訂正しきれるまで繰り返すためには、訂正処理部を高速で動作させなくてはならず、消費電力を増加させるという問題があった。また、訂正処理部を高速動作させることにも限界があり、その限界に達すれば再生速度を遅くして訂正処理を行なうことになるため、やはり再生パフォーマンスが低下するという問題がある。
【特許文献１】特開２００４−９５０８１号公報
【特許文献２】特開平１０−２８５０５３号公報
【特許文献３】特開２０００−１３２８６８号公報
【発明の開示】
【発明が解決しようとする課題】
【００１２】
上述したように、従来の誤り訂正装置においては、例えば、ＤＶＤ−Ｒ／ＲＷのような記録データトラックに隣接するトラック上に記録ガイド情報（プリフォーマット情報）が形成されている光ディスクから記録データを再生する場合であって、この記録ガイド情報が存在することによりこの記録ガイド情報の位置に対応する訂正ブロック上の位置データにエラーが発生した場合に、第１符号列（ＰＩ）−第２符号列（ＰＯ）の２回訂正でエラーを訂正することができず再生パフォーマンスに影響を与えるという問題を有していた。
【００１３】
本発明による誤り訂正装置は、記録ガイド情報の位置に相当する訂正ブロック上の位置にイレージャ訂正用のポインタを予め付加してから第１符号列（ＰＩ）訂正を行なうことにより、ＰＩ−ＰＯの２回訂正を実現し、再生パフォーマンスを向上させることのできる誤り訂正装置を提供することを目的とする。
【課題を解決するための手段】
【００１４】
本発明の一態様では、光ディスクの記録部に、記録情報の順序と同一方向に誤り符号が付加された符号列データと、前記符号列データが前記光ディスクに記録されるための記録ガイドとして該符号列データが記録される前に消去不可能な状態で予め記録されている記録ガイド情報とが記録された光ディスクから記録情報を再生する光ディスク再生装置の誤り訂正装置であって、
前記記録ガイド情報における物理構造上の特異点を第１位置として検出する第１位置検出部と、
前記第１位置検出部により検出された前記第１位置を前記符号列データの位置に置き換えた第２位置を生成する第２位置生成部と、
前記第２位置を用いて前記符号列データの誤りをイレージャ訂正し、その後に、前記誤り符号データとは異なる方向のデータの誤り訂正を行う誤り訂正部と、
を備えることを特徴とする光ディスク装置の誤り訂正装置が提供される。
【発明の効果】
【００１５】
上記基本構成によれば、記録ガイド情報の位置に相当する訂正ブロック上の位置にイレージャ訂正用のポインタとして予め付加された第２位置を用いて符号列データへの訂正を行なうことにより、符号列データとこの符号列データの方向とは異なる方向のデータ（すなわち、ＤＶＤにおけるＰＩ−ＰＯ）との２回訂正を実現し、再生パフォーマンスを向上させることのできる誤り訂正装置を提供することができる。
【発明を実施するための最良の形態】
【００１６】
以下、添付図面を参照しながら、光ディスク装置の誤り訂正装置の実施形態について詳細に説明する。
【００１７】
［第１実施形態］
図１は、本発明の基本構成としての第１実施形態に係る光ディスク装置の誤り訂正装置の構成を示すブロック図である。図１の構成要素のうち図２０と同一符号を付したものは従来の誤り訂正装置と同一もしくは相当する構成要素を示している。
【００１８】
図１において、光ディスク装置の誤り訂正装置は、光ディスク１の記録部に、記録情報の順序と同一方向に誤り符号が付加された符号列データと、符号列データが光ディスクに記録されるための記録ガイドとしてこの符号列データが記録される前に消去不可能な状態で予め記録されている記録ガイド情報と、が記録された光ディスクから記録情報を再生する光ディスク再生装置の誤り訂正装置１５が設けられている。
【００１９】
誤り訂正装置１５は、記録ガイド情報における物理構造上の特異点を第１位置として検出する第１位置検出部（プリピットデコーダ）１３と、第１位置検出部１３により検出された第１位置を符号列データの位置に置き換えた第２位置を生成する第２位置生成部１６と、この第２位置を用いて符号列データの誤りをイレージャ訂正する誤り訂正部としてのエラー訂正回路５と、を備えることを特徴とする。
【００２０】
なお、図１の第１実施形態による誤り訂正装置１５は、図２０に示す従来の光ディスク装置における構成、すなわち、光ディスク１、ピックアップ２、マトリックスアンプ３、復調回路４、訂正ＲＡＭ６、データバッファ７、ホストコンピュータ８、パリティ生成回路９、変調回路１０、レーザ制御回路１１，ウォブル回路１２およびシステムコントローラ１４等の構成要素も備えているが、第１実施形態に係る誤り訂正回路１５の構成のみ実線のブロックで示し、従来の光ディスク装置と同様の構成要素は破線のブロックで示している。マトリクスアンプ３は、図２０と同様に復調回路４に対して無線周波数信号ＳＲＦを出力し、ウォブルＰＬＬ回路１２に対してＳＷを出力し、第１位置情報設定部としてのプリピット信号ＳＰを出力している。
【００２１】
以下、図１に示された光ディスク装置の動作について説明する。誤り訂正装置１５以外の構成要素の動作については図２０に示した従来の光ディスク装置の動作と同様である。図２０に示す光ディスク装置の動作は、図２ないし図１２に示されており、誤り訂正装置１５以外の動作は第１実施形態と同様である。再生パフォーマンスを優先するシステムにおいては、第２図に示すようなＰＯの１回訂正を基本として訂正処理を行う場合が多い。しかし、再生データにエラーが多く含まれ、ＰＯの１回訂正では、エラーが訂正できない場合は、第３図に示すようなＰＩ−ＰＯの２回訂正、第４図に示すようなＰＯ−ＰＩ−ＰＯの３回訂正とエラーが訂正できるまでＰＩまたはＰＯの訂正回数を増やしていく。
【００２２】
ＤＶＤ−Ｒ／ＲＷは、物理フォーマットとして、特許文献１の図１４（ａ）（ｂ）に示すようなグルーブに情報を記録するため、グルーブ間のランドに予めアドレス等の情報が設定されたランドプリピットと呼ばれる、特許文献１の図１４（ｃ）に示すようなピットが形成されている。このプリピットは、光ディスクの記録部に対して予め人為的に形成した物理構造上の特異点であり、第１位置検出部（プリピットデコーダ）１３はこのプリピットを第１位置として検出している。なお、記録部は、符号列データの記録されている領域のことであるが、物理的特異点としてのプリピットはこの記録部に相当する箇所に符号列データが記録される前に例えばディスク製造業者等によって予め人為的に形成されている。同図に示すように、グルーブに記録されている情報をビームスポットによる走査で読み取る場合、プリピットからの反射光の光量に較べて、グルーブからの反射光の光量変化が小さいと、グルーブからの反射光成分に対してプリピットからの反射光成分が雑音として作用し、グルーブの情報を高精度で検出することが困難となる場合が考えられる。この問題を回避するために、上述した特許文献２により、再生信号に影響が出ないように、記録再生媒体のグルーブとプリピットの影響が最小となるような形状が提案されている。
【００２３】
上記の特許文献２の例に示すように、一般的にＤＶＤ−Ｒ／ＲＷメディアのようなプリピット信号が存在するとディスクから再生した信号（再生信号）が乱れ易くなり、スタンプされたＤＶＤ−ＲＯＭなどのディスクに比べて再生されたデータの再生品位が悪いために、ＰＩ−ＰＯの２回訂正を基本として訂正処理を行なうことが多い。
【００２４】
ＰＩおよびＰＯの複数回の訂正を行うことは、その処理時間を確保するため、再生速度を落とすことになり、再生パフォーマンスが低下する。また、再生速度を維持したまま、ＰＩおよびＰＯの複数回の訂正をエラーが訂正できるまで繰り返すには、訂正処理部を高速に動作させることになり、消費電力の増加につながる。訂正処理部を高速動作させるには限界があり、その限界に達すれば再生速度を落として訂正処理を行うことになるため、再生パフォーマンスが低下する。このため、第１実施形態の誤り訂正装置では、第２位置情報を用いてＰＩのイレージャ訂正を最初に行なっているので、高速動作させずに通常のＰＩ−ＰＯの２回訂正でも誤り訂正を行なうことができる。
【００２５】
次に、プリピットの記録フォーマットと訂正ブロックデータとの関係を説明する。１セクタは図５に示すような構成になっている。１訂正ブロックは、図６に示すように、ＰＯパリティがインターリーブされる構成になっている。１セクタは２６のシンクフレームで形成され、１ＥＣＣブロックは１６のセクタで形成される。１シンボルは1バイトのデータを現し、１バイトのデータは記録情報を記録する際の記録フォーマットにより規定されるチャネルビット長（以下、Ｔという）の１６倍（１６Ｔ）に相当する。図５に示すシンクフレームは、１４８８Ｔの長さを有しており、更に、１シンクフレームの先頭の３２Ｔの長さの部分はシンクフレーム毎の同期をとるための同期情報として用いられる。
【００２６】
記録データの記録時おいて、規格に準拠してプリフォーマット情報の同期信号に同期するように記録データを記録するため、記録データの再生時において、プリフォーマット情報（プリピット）は記録データのシンクフレームにおける同期情報（シンク）が記録されている領域に隣接するランド上に出現することになる。
【００２７】
記録データのシンクフレームとプリフォーマット情報のプリピットの関係を模式的に示したものが図７および図８である。イーブン（Even）ポジションのシンクフレームでは、プリフォーマット情報における同期信号を示すものとしての図７に示すプリピットシンクコード（Prepit SYNC code）が形成され、データを示すものとしての図８に示すプリピットデータ：１（Prepit data:1）またはプリピットデータ：０（Prepit data:0）が形成される。奇数（Odd）ポジションのシンクフレームの場合も偶数（Even）ポジションのシンクフレームと同様に、プリフォーマット情報における同期信号を示すものとして、図７に示すプリピットシンクコード（Prepit SYNC code）が形成されており、データを示すものとして、図８に示すプリピットデータ：１（Prepit data:1）またはプリピットデータ：０（Prepit data:0）が形成されている。
【００２８】
プリピットは通常、偶数（Even）ポジションのシンクフレームに出現するが、先行して形成された隣接するランド上のプリピットと近接する場合にはクロストークを避けるために、奇数（Odd）ポジションのシンクフレームにプリピットが出現する。プリピットシンクコード（Prepit SYNC code）とプリピットデータ（Prepit data）は、偶数（Even）ポジションのシンクフレームに出現する場合は奇数（Odd）ポジションのシンクフレームには出現しない。逆に、奇数（Odd）ポジションのシンクフレームに出現する場合は、偶数（Even）ポジションのシンクフレームには出現しない。
【００２９】
各セクタの１列目の偶数（Even）ポジションのシンクフレームには図７に示すようなプリピットシンクコード（Prepit SYNC code）が、奇数（Odd）ポジションのシンクフレームには図８に示すようなプリピットシンクコード（Prepit SYNC code）が出現する２列目から１３列目はプリフォーマット情報の内容によって図７および図８に示すようなプリピットデータ（Prepit data）が出現する。
【００３０】
偶数（Even）ポジションのシンクフレームにプリフォーマット情報があるプリピットの位置と訂正ブロック上の位置は、図９に示すような関係になっている。記録データをプリフォーマット情報に同期するように記録することから、偶数（Even）ポジションのプリピットシンクコード（Prepit SYNC code）の２番目のプリピットの位置は、ＰＩ符号列の１１シンボル目の位置になる。また、３番目のプリピットの位置は、ＰＩ符号列の２３シンボル目の位置になっている。
【００３１】
図２０に示す従来の誤り訂正装置において、プリピットの影響により図１０、図１１、図１２のようなエラーが発生した場合の再生パフォーマンスについて説明する。プリピットの影響により図１０に示すようなエラーが発生した場合、図２に示すようなＰＯの１回訂正では全てのエラーの訂正はできないが、図３に示すようなＰＩ−ＰＯの２回訂正では全てのエラーが訂正できる。このためＰＩ−ＰＯの２回訂正を基本としているシステムでは再生パフォーマンスは低下しない。図１１および図１２はプリピットの影響により連続する２シンボルのエラーが発生した場合を示している。
【００３２】
ＤＶＤの規格において、１シンボルのデータを復調する際に後の１シンボルの復調結果を反映させるため、プリピットの位置のシンボルがエラーになった場合、プリピットの位置によりエラーになったシンボルに隣接するシンボルがエラーになる場合が考えられる。また、特許文献１の第１５図（ｂ）に示すように、ＤＶＤの規格において光ディスクのプリピットと記録シンクの１４Ｔの期間の中心とを一致させることが定められている。ウォブル信号のぶれによりウォブルを基準に生成されたクロックで変調される記録データのシンクとプリピットの位相を一致させることが難しい場合が考えられる。この問題を回避するために、特許文献１では、本来の規格で決められたデータ位置となるように記録動作を制御する方法を提案している。
【００３３】
上記の例に示すように、記録データのシンクとプリピットの位置は記録システムや記録ディスクによっては規格に定められた位相とは異なる場合が多い。プリピットがシンボルとシンボルの境目付近に位置にする場合、境目を挟んだ連続する２シンボルにエラーが発生する場合が考えられる。プリピットの影響により図１１に示すようなエラーが発生した場合、図２に示すようなＰＯの１回訂正では全てのエラーの訂正はできないが、ＰＩ−ＰＯの２回訂正では全てのエラーが訂正できる。このためＰＩ−ＰＯの２回訂正を基本としているシステムでは再生パフォーマンスは低下しない。
【００３４】
プリピットの影響により図１２に示すようなエラーが発生した場合、図２に示すようなＰＯの１回訂正および図３に示すようなＰＩ−ＰＯの２回訂正では全てのエラーの訂正はできないため、図４に示すようなＰＯ−ＰＩ−ＰＯの３回訂正を行なうことになる。このためＰＩ−ＰＯの２回訂正を基本としているシステムでは、ＰＯ−ＰＩ−ＰＯの３回訂正を行なう時間を稼ぐために再生速度を低減させることになり、再生パフォーマンスが低下する。
【００３５】
図２ないし図４を用いてＰＯ１回訂正、ＰＩ−ＰＯ２回訂正、ＰＯ−ＰＩ−ＰＯ３回訂正について説明する。図２は、ＰＯ１回訂正の処理動作を示しており、図２において、まずステップＳ１で訂正処理が開始されると、ステップＳ２で訂正ＲＡＭ６からＰＯ符号データが読み出される。次に、ステップＳ３でＰＯ符号単独での誤り訂正処理を行なうと共にこれに加えてＰＩ符号の誤り位置情報によるイレージャ訂正を行なう。その後、ステップＳ４で訂正ＲＡＭ６の情報データを訂正してＰＯ符号の誤り位置を生成することによりステップＳ５で訂正処理が終了する。
【００３６】
図３は、ＰＩ−ＰＯ２回訂正の処理動作を示しており、図３において、ステップＳ１で訂正処理が開始されると、ステップＳ１２で訂正ＲＡＭ６からＰＩデータ符号が読み出され、ステップＳ１３でＰＩ符号単独での誤り訂正が行なわれ、ステップＳ１４で訂正ＲＡＭ６の情報データを訂正してＰＩ符号の誤り位置情報を生成する。このステップＳ１２〜Ｓ１４がＰＩ訂正であり、その後、ステップＳ２〜Ｓ４のＰＯ訂正が行なわれて、ステップＳ５で訂正処理が終了する。この処理は図２０に示した従来の構成に基づくものであるが、第１実施形態においては、ステップＳ１２とＳ１３との間に、「光ディスクが記録可能なものであるか否かを判定する」ステップ（後述する図１４のステップＳ３１）と、光ディスクが記録可能なものであると判定された場合に、「ＰＩ符号単独で誤り訂正を行なうと共にプリピット位置情報を用いてイレージャ訂正を行なう」ステップ（図１４のステップＳ３３）とが介挿された処理動作となっている。
【００３７】
図４は、ＰＯ−ＰＩ−ＰＯ３回訂正の処理動作を示しており、図４において、ステップＳ１で訂正処理が開始されると、ステップＳ２で訂正ＲＡＭ６からＰＯ符号データが読み出される。次に、ステップＳ３でＰＯ符号単独での誤り訂正処理を行なうと共にこれに加えてＰＩ符号の誤り位置情報によるイレージャ訂正を行なう。その後、ステップＳ４で訂正ＲＡＭ６の情報データを訂正してＰＯ符号の誤り位置を生成する。ここまでの動作は、図２と同様であるが、その後、ステップＳ２２で訂正ＲＡＭ６からＰＩデータ符号が読み出され、ステップＳ２３でＰＩ符号単独での誤り訂正が行なわれると共にこれに加えてＰＯ符号の誤り位置情報によるイレージャ訂正が行なわれた後、ステップＳ２４で訂正ＲＡＭ６の情報データを訂正してＰＯ符号の誤り位置情報が生成される。このステップＳ２２〜Ｓ２４は図３のステップＳ１２〜Ｓ１４と同様にＰＩ訂正であり、その後、ステップＳ２〜Ｓ４のＰＯ訂正が再び行なわれて、ステップＳ５で訂正処理が終了する。
【００３８】
図２０の従来の構成を用いた場合、上述したような理由によりＰＩ−ＰＯの２回訂正で不十分な場合には、図４に示すＰＯ−ＰＩ−ＰＯの３回訂正を行なわなければならなかった。第１実施形態の誤り訂正装置によれば、図３に示されたＰＩ−ＰＯの２回訂正におけるステップＳ１２とＳ１３との間に光ディスクが記録可能なものであるか否かの判断ステップを介挿すると共に光ディスクが記録可能なものである場合には図４のステップＳ２３のようなイレージャ訂正をＰＯ符号の誤り位置情報ではなくプリピット位置情報により行なっている点に特徴がある。
【００３９】
以上のように、第１実施形態によれば、構成においては図１の誤り訂正装置１５に第２位置情報生成部１６を設けることにより、また、動作においては図３のステップＳ１２とＳ１３との間に光ディスクが記録可能なものである場合にプリピット位置情報によるイレージャ訂正を行なう動作を介挿することにより、ＰＩ−ＰＯの２回訂正で誤り訂正が不十分な場合でもＰＯ−ＰＩ−ＰＯの３回訂正を行なう必要がなくなり、光ディスクから情報を再生する際の再生速度を低減させることなく、誤り訂正を可能にして再生パフォーマンスを向上させることができる。
【００４０】
［第２実施形態］
上述した第１実施形態においては、光ディスク装置の誤り訂正装置の基本構成についてのみ説明したが、より詳細な構成を示す第２実施形態の誤り訂正装置について、図１３および図１４を参照しながら説明する。図１３には第２実施形態の誤り訂正装置の概略構成が示され、図１４には図１３の構成に基づく処理動作の流れが示されている。
【００４１】
図１３において、誤り訂正装置１５を構成するプリピット位置情報生成回路１６には再生中の光ディスク１に関するディスク情報が供給され、この情報に基づいて再生中の光ディスク１が記録可能なものである場合に、プリピット位置情報に基づいてイレージャ訂正処理が行なわれる。
【００４２】
上述した図１２に示したようなエラーが発生した場合の訂正処理について説明する。記録データの再生において、マトリクスアンプが出力するＲＦ信号ＳＲＦは、復調回路４、エラー訂正回路５、訂正ＲＡＭ６、データバッファ回路７を介してホストコンピュータ８に出力される。プリピット位置生成回路１６では、再生ディスクがＤＶＤ−Ｒ／ＲＷの場合に、システムコントローラから設定する訂正ブロック上のプリピット位置情報をエラー訂正回路５に出力する。エラー訂正回路５では、プリピット位置生成回路１６から受信したプリピット位置情報をＰＩ訂正で使用するためのイレージャ訂正用のポインタに変換する。ＰＩ訂正において訂正ブロック上のプリピット位置のイレージャ訂正とその他の位置のエラーの訂正を行なう。
【００４３】
システムコントローラより、図１２のＰＯ列−１と隣接するＰＯ列−３、ＰＯ列−２と隣接するＰＯ列−４にイレージャ訂正用のポインタを付加し、ＰＩ訂正を行なう。ＰＯ列−１およびＰＯ列−２の位置は、図９に示すプリピットの位置で、通常は規格通りにデータが記録されるので、ＰＯ列−１はＰＩ符号列の先頭から１１シンボル目、ＰＯ列−２の位置は、図９の先頭から２３シンボル目となる。ＰＩ符号列において、誤り位置の分かっている４シンボルのエラーがある場合、誤り位置の不明なエラーを３シンボルまで訂正可能であることから、図１２のＰＩ列−１からＰＩ列−１６のエラーはＰＩ訂正で訂正可能である。
【００４４】
ＰＩ符号列において、誤り位置の分かっている２シンボルのエラーがある場合、誤り位置の不明なエラーを４シンボルまで訂正可能であることから、図１２のＰＩ列−１７のエラーは、ＰＩの１回訂正で訂正可能である。図１２に示すようなエラーが発生した場合でも、図１３の第２実施形態ではＰＩ−ＰＯの２回訂正で訂正可能なため、図２０に示した従来の誤り訂正装置の場合に比べて再生パフォーマンスが向上する。図１２は１つのプリピットに２個のイレージャ訂正用のポインタを付加する場合の例を示している。付加するイレージャ訂正用のポインタは、イレージャ訂正用のポインタを付加する符号列のイレージャ訂正の最大可能数（ＰＩ符号列の場合１０個）まで付加しても良い。
【００４５】
上述した動作をまとめて図１４に示すフローチャートにより説明する。図１４のステップＳ１で訂正処理が開始されると、ステップＳ１２で訂正ＲＡＭ６からＰＩ符号データが読み出され、ステップＳ３１で再生中の光ディスクはＤＶＤ−Ｒ／ＲＷか否かが判別される。ステップＳ３１で光ディスクがＤＶＤ−Ｒ／ＲＷすなわち記録可能なものであると判断されるとステップＳ３３でＰＩ符号単独での誤り訂正処理が行なわれると共にこれに加えてプリピット位置情報によるイレージャ訂正が行なわれる。ステップＳ３１で再生中の光ディスクが読み出し専用のものであると判断されたときにはステップＳ１３で、ＰＩ符号単独での誤り訂正が行なわれる。
【００４６】
次に、ステップＳ１４で訂正ＲＡＭ６の情報データを訂正してＰＩ符号の誤り位置情報を生成する。その後、ステップＳ２で訂正ＲＡＭ６からＰＯ符号データを読み出して、ステップＳ３でＰＯ符号単独での誤り訂正を行なうと共にこれに加えてＰＩ符号の誤り位置情報によるイレージャ訂正を行ない、ステップＳ４で訂正ＲＡＭ６の情報データを訂正してＰＯ符号の誤り位置情報を生成することによりＰＯ訂正を行なっている。
【００４７】
したがって、図１４に示す第２実施形態の処理動作は、図２０に示された従来の光ディスク装置におけるＰＩ−ＰＯの２回訂正の動作を説明した図３のフローチャートにおけるステップＳ１２とＳ１３との間に判断ステップＳ３１を設け、光ディスクが記録可能である場合にはステップＳ３３でプリピット位置情報によるイレージャ訂正を行ない、光ディスクが記録可能でない場合すなわち読み出し専用の光ディスクである場合には従来と同様にＰＩ訂正を行なうものである。光ディスク１が記録可能なもの得あるか否かの判定は、第２実施形態においては図１３のプリピット位置情報生成回路１６に供給されるディスク情報により行なっている。
【００４８】
［第３実施形態］
上記第２実施形態においては、光ディスク１が記録可能であるか否かの判定をプリピット位置情報生成回路に供給されるディスク情報により行なっていたが、本発明はこれに限定されず光ディスク１から読み出した信号により判別を行なうようにしても良い。この具体例としての第３実施形態に係る誤り訂正装置について図１５ないし図１９を用いて説明する。
【００４９】
第２実施形態に係る光ディスク装置は、図１６に示すように、符号１ないし１４が付された構成要素と同一もしくは相当する構成要素を備え、これに加えて、第２実施形態に係る誤り訂正装置１５が設けられている。誤り訂正装置１５は、図１６に示すように、マトリクスアンプ３の出力するプリピット信号ＳＰとウォブルＰＬＬ回路の出力するウォブルクロックとに基づいてプリピット検出パルスを出力するプリピットデコーダ１３と、プリピットデコーダ１３が出力するプリピット検出パルスとマトリクスアンプ３の出力するＰＩ符号列位置情報とに基づいてプリピット位置情報を出力するプリピット位置情報生成回路１６と、このプリピット位置情報生成回路１６が出力する第２位置情報としてのプリピット位置情報を用いて第２符号列としてのＰＩ符号列の誤りをイレージャ訂正する誤り訂正部としてのエラー訂正回路５とを備えている。
【００５０】
次に、図１６の構成に基づく動作について説明する。第１実施形態で説明した図１２に示すようなエラーが発生し、かつ、プリピットの位置と訂正ブロック上のエラー位置が図１５に示すような、ＰＩ符号列の先頭からｊ＋１列目とｋ＋１列目に相当する場合について説明する。記録データの再生において、マトリクスアンプが出力するＲＦ信号ＳＲＦは復調回路４、エラー訂正回路５、訂正ＲＡＭ６、データバッファ回路７を介してホストコンピュータ８に出力される。プリピット位置生成回路１６では、再生ディスクがＤＶＤ−Ｒ／ＲＷの場合すなわち記録可能な光ディスクである場合に、システムコントローラ１４から設定される訂正ブロック上のプリピット位置をＰＩ符号列の訂正におけるイレージャ訂正用ポインタ情報に変換し、エラー訂正回路５に出力する。
【００５１】
図１７に示すフローチャートを用いて、誤り訂正装置１５の誤り訂正動作について説明する。図１７において、第２実施形態の動作を説明した図１４との相違点は、ステップＳ３１とＳ３３との間にプリピット位置がエラーであるか否かの判断ステップＳ３２が付加されている点である。ステップＳ１で訂正処理が開始され、ステップＳ２で訂正ＲＡＭ６からＰＩ符号データが読み出される。
【００５２】
次に、第２実施形態の処理動作と同様に、ステップＳ３１でディスクがＤＶＤ−Ｒ／ＲＷか否かすなわち記録可能な光ディスクであるか否かが判断され、記録できない光ディスクであるものと判断された場合には、図３で説明したＰＩ−ＰＯの２回訂正と同様にステップＳ１４で訂正ＲＡＭ６の情報データを訂正してＰＩ符号の誤り位置情報を生成する。ステップＳ３１で記録可能な光ディスクであるものと判断された場合、ステップＳ３２でプリピット位置がエラーであるか否かが判断される。プリピット位置のエラーでないものと判断された場合にはステップＳ１３でＰＩ符号単独での誤り訂正を行なってからステップＳ１４へと処理を進める。
【００５３】
ステップＳ３２でプリピット位置にエラーがあるものと判断されたときには第２実施形態と同様にステップＳ３３でＰＩ符号単独での誤り訂正処理を行なうと共にこれに加えてプリピット位置情報によるイレージャ訂正を行なうようにしている。その後、ステップＳ１４からステップＳ２〜Ｓ５の処理の流れは図３と同様である。復調回路４でのＲＦ信号ＳＲＦの復調処理とプリピットデコーダ１３でのプリピット信号ＳＰの検出処理、エラー訂正回路５での訂正処理、プリピット位置情報生成回路１６でのプリピット位置情報は、図１８に示すような関係になっている。
【００５４】
訂正ブロック期間は１訂正ブロック分の処理するための処理期間を示している。光ディスクから再生されたＲＦ信号は、訂正ブロック処理期間１で復調回路において訂正ブロックデータｎとして復調され、次の訂正ブロック処理期間２で訂正処理が行なわれる。同時にディスクから再生されたプリピット信号は、訂正ブロック処理期間１でプリピットデコーダにおいて検出され、プリピット位置情報生成回路で生成したプリピット位置情報は、次の訂正ブロック処理期間２で訂正処理に使用される。
【００５５】
プリピット位置生成回路１６では、再生ディスクがＤＶＤ−Ｒ／ＲＷの場合に、復調回路４がＰＩ符号列シンボル位置情報を出力する。エラー訂正回路５は、図１９に示すように、復調回路４においてシンクフレームに同期して形成されたＰＩ符号列方向にシンボル位置を示すＰＩ符号列方向１８２進カウンタの値（以下、ＰＩ符号列シンボル位置）と、プリピットデコーダ１３でデコードされたプリピット検出信号またはプリピットが検出された旨が分かるパルス（以下、プリピット検出パルス）を受信し、訂正ブロック上のプリピット位置を生成する。
【００５６】
また、訂正ブロック上のプリピット位置を示す情報（以下、プリピット位置情報）を、プリピット位置とプリピット位置に隣接する位置のいずれかを選択する信号と、プリピット位置にＰＩ訂正でのイレージャ訂正用のポインタを付加する許可信号をシステムコントローラから受信し、プリピット位置情報としてエラー訂正回路とプリピット位置のエラー計測回路に出力する。プリピット検出パルスを受信した時のＰＩ符号列シンボル位置（図１９のｊとｋ）が、訂正ブロック上のプリピット位置（図１９のｊ＋１シンボル目とｋ＋１シンボル目）となる。
【００５７】
エラー訂正回路５では、訂正処理を開始する前にプリピット位置情報をプリピット位置情報生成回路１６から受信し、訂正ブロック上のプリピット位置（図１９のｊ＋１シンボル目とｋ＋１シンボル目）をＰＩ訂正時のイレージャ訂正用ポインタとして使用する（以下、図１９のｊ＋１シンボル目をプリピットエラー１の位置、図１９のｋ＋１シンボル目の位置をプリピットエラー２の位置という）。ＰＩ訂正において、プリピット位置生成回路１６が生成した上記のプリピット位置のイレージャ訂正とその他の位置のエラーの訂正を行なう。
【００５８】
図１２のＰＯ列−１がプリピットエラー１の位置に相当し、図１２のＰＯ列−２がプリピットエラー２の位置に相当する。従って、システムコントローラから図１２のＰＯ列−１と隣接するＰＯ列−３、ＰＯ列−２と隣接するＰＯ列−４にイレージャ訂正用のポインタを付加し、ＰＩ訂正を行う。ＰＩ符号列において、誤り位置の分かっている４シンボルのエラーがある場合、誤り位置の不明なエラーを３シンボルまで訂正可能であるので、図１２のＰＩ列−１からＰＩ列−１６のエラーはＰＩ訂正で訂正可能である。
【００５９】
ＰＩ符号列において、誤り位置の分かっている２シンボルのエラーがある場合、誤り位置の不明なエラーを４シンボルまで訂正可能であるので、図１２のＰＩ列−１７のエラーはＰＩ訂正で訂正可能である。図１２に示すようなエラーが発生してもＰＩ−ＰＯの２回訂正で訂正可能なため、従来の誤り訂正装置の場合に比べて再生パフォーマンスが向上する。
【００６０】
図１２は１つのプリピットに２個のイレージャ訂正用のポインタを付加する場合の例を示している。付加するイレージャ訂正用のポインタは、イレージャ訂正用のポインタを付加する符号列のイレージャ訂正の最大可能数（ＰＩ符号列の場合１０個）まで付加しても良い。
【図面の簡単な説明】
【００６１】
【図１】基本構成に相当する第１実施形態の誤り訂正装置の構成を示すブロック図である。
【図２】誤り訂正処理におけるＰＯの１回訂正を示すフローチャートである。
【図３】誤り訂正処理におけるＰＩ−ＰＯ２回訂正を示すフローチャートである。
【図４】誤り訂正処理のＰＯ−ＰＩ−ＰＯ３回訂正を示すフローチャートである。
【図５】１セクタの構成を示す模式図である。
【図６】１訂正ブロックの構成を示す模式図である。
【図７】ＲＦ信号と偶数（イーブン）ポジションのプリピット検出信号の関係を示す模式図である。
【図８】ＲＦ信号と奇数（オッド）ポジションのプリピット検出信号の関係を示す模式図である。
【図９】偶数（イーブン）ポジションのプリピット検出信号と訂正ブロックデータの規格通りの関係を示す模式図である。
【図１０】プリピットの影響により１シンボルのエラーが発生した場合の訂正ブロック上のエラー発生の状況を示す模式図である。
【図１１】プリピットの影響により２シンボルのエラーが発生した場合の訂正ブロック上のエラー発生の状況を示す模式図である。
【図１２】プリピットの影響により２シンボルのエラーとその他にもエラーが発生した場合の訂正ブロック上のエラー発生の状況を示す模式図である。
【図１３】第２実施形態の誤り訂正装置の構成を示すブロック図である。
【図１４】第２実施形態におけるＰＩ−ＰＯ２回訂正の処理動作を示すフローチャートである。
【図１５】偶数（イーブン）ポジションのプリピット検出信号と訂正ブロックデータの規格通りの関係を示す模式図である。
【図１６】第３実施形態の誤り訂正装置の構成を示すブロック図である。
【図１７】第３実施形態におけるＰＩ−ＰＯ２回訂正の処理動作を示すフローチャートである。
【図１８】ＲＦ信号の復調処理とプリピット検出処理の関係を示す模式図である。
【図１９】プリピット情報生成回路における訂正ブロック上のプリピット位置を示す模式図である。
【図２０】従来の光ディスク装置の構成を示すブロック図である。
【符号の説明】
【００６２】
１  光ディス
３  マトリクスアンプ
５  誤り訂正部（エラー訂正回路）
１３  第１位置情報設定部（プリピットデコーダ）
１５  誤り訂正装置
１６  第２位置情報生成部（プリピット位置情報生成回路）
【図１】
0004621550.tif 000002
【図２】
0004621550.tif 000003
【図３】
0004621550.tif 000004
【図４】
0004621550.tif 000005
【図５】
0004621550.tif 000006
【図６】
0004621550.tif 000007
【図７】
0004621550.tif 000008
【図８】
0004621550.tif 000009
【図９】
0004621550.tif 000010
【図１０】
0004621550.tif 000011
【図１１】
0004621550.tif 000012
【図１２】
0004621550.tif 000013
【図１３】
0004621550.tif 000014
【図１４】
0004621550.tif 000015
【図１５】
0004621550.tif 000016
【図１６】
0004621550.tif 000017
【図１７】
0004621550.tif 000018
【図１８】
0004621550.tif 000019
【図１９】
0004621550.tif 000020
【図２０】
0004621550.tif 000021